(57)【要約】【課題】漏液が発生しても機器の汚染を最小限に止めたり、電池を交換する際に新旧の電池や銘柄の異なる電池を混在させる可能性や、逆挿の可能性を激減させたりすることができる電池ボックスを提供する【解決手段】正極端子１３と負極端子１４とを備えた電池１１を、包装材１２に収納された電池パック１０の状態で収納可能な電池ボックス１であって、前記電池の収納空間２１と、前記収納空間内に突出する接点３２とを備え、前記接点は、前記電池の前記包装材を破断しつつ前記正極端子及び前記負極端子と導通状態で接触する。【選択図】図４
2020184483.tif 000002
【特許請求の範囲】
【請求項１】
正極端子と負極端子とを備えた電池を、包装材によって包装された電池パックの状態で収納可能な電池ボックスであって、前記電池の収納空間と、前記収納空間内に突出する接点とを備え、前記接点は、前記電池の前記包装材を破断しつつ前記正極端子及び前記負極端子と導通状態で接触することを特徴とする電池ボックス。
【請求項２】
前記収納空間の内方に、前記接点を格納可能に突出させる接点突出機構を備え、前記接点は、先端側に、前記包装材を破断する破断部を備え、前記接点突出機構は、前記収納空間内に前記接点の先端側を突出させて、前記接点の先端で前記包装材を破断させることを特徴とする請求項１に記載の電池ボックス。
【請求項３】
前記収納空間を開閉可能に閉鎖する蓋を備え、前記接点突出機構は、前記蓋が閉じられると前記接点を当該ケース部内に突出させる、ことを特徴とする請求項２に記載の電池ボックス。
【請求項４】
前記接点突出機構は、前記ケース部内に前記電池パックを収納させる動作に連動して前記接点を当該ケース部内に突出させるリンク機構で構成されていることを特徴とする請求項２に記載の電池ボックス。
【請求項５】
筒軸方向の一端に正極端子を備え、他端に負極端子を備えた筒形の電池が収納され、前記収納空間は、前記正極端子が前記筒軸の一方向に向けた状態で当該筒軸と直交する方向に並列に配置された複数個の前記電池を、前記電池パックの状態で収納できることを特徴とする請求項１〜４のいずれかに記載の電池ボックス。
【請求項６】
前記配線によって複数個の前記筒形電池が直列接続されることを特徴とする請求項５に記載の電池ボックス。
【請求項７】
前記配線によって複数個の前記電池が並列接続されることを特徴とする請求項５に記載の電池ボックス。
【発明の詳細な説明】
【技術分野】
【０００１】
この発明は電池ボックスに関する。
【背景技術】
【０００２】
アルカリ乾電池などの円筒形電池を電源とした機器には、電池を収納するための電池ボックスが設けられているものがある。また、複数個の電池を電源として用いる機器の電池ボックスには、複数個の電池を、互いの円筒軸が平行となるように並列に配置させた状態で収納するものがある（非特許文献１参照）。
【０００３】
並列に配置された複数の電池を電気的に直列に接続する電池ボックスは、各電池の正極端子と負極端子のそれぞれに接触する端子（以下、接点と言うことがある）を備え、直列接続される複数個の電池は、隣り合う電池同士で正極端子と負極端子とが互い違いとなるように電池ボックスに収納される。また、電池ボックスにおいて、複数の電池が直列接続されてなる集合電池の両端電極に対応する接点は、外部回路に接続され、他の接点は、隣り合う電池同士が直列接続されるように、隣り合う接点同士で接続されている。
【先行技術文献】
【非特許文献】
【０００４】
【非特許文献１】株式会社タカチ電気工業、”埋込電池ボックス”、[online]、[平成３１年４月９日検索]、インターネット＜ＵＲＬ：http://www.takachi-el.co.jp/data/pdf/2016-12-031.pdf＞
【発明の概要】
【発明が解決しようとする課題】
【０００５】
電池ボックスにおいて、使用済みの電池を新しい電池に交換する場合、新旧の電池が同じ銘柄であると、電池ボックスから取り出した使用済みの電池と、これらから電池ボックスに収納しようとする新しい電池との区別がつき難く、誤って古い電池を再度電池ボックスに収納してしまうことがある。そして、複数個の電池を収納する電池ボックスでは、新旧の電池を混在させてしまう可能性がある。
【０００６】
また、電池ボックスに電池を収納する際には、電池の極性を逆にして接点に接触させてしまう「逆挿」に注意する必要がある。特に、複数個の電池を並列に配置しつつ直列接続させる電池ボックスでは、隣接する円筒形電池の正極端子と負極端子とを互い違いにする必要があるため、一つあるいは複数の電池を逆挿してしまう可能性が高くなる。そして、機器の電源として放電すべき電池が逆挿されると、その電池が充電状態となる。電池がアルカリ乾電池やマンガン乾電池である場合、漏液が発生する可能性がある。もちろん、電池ボックスに新旧の電池を混在させて収納した場合も同様に漏液が発生する可能性がある。そして、電池が漏液すると、電池ボックス内の接点を腐食させ、機器が使用不能になる可能性がある。また、漏れ出た電解液がユーザーの手指に触れる可能性もある。なお、複数個の電池を交換する際には、その複数の電池が同時に購入されたもので、かつ同じ銘柄であることが望ましい。しかし、実際には、様々な銘柄の電池や保存期間が異なる電池を寄せ集めて交換する場合も多い。
【０００７】
そこで本発明は、漏液が発生しても機器の汚染を最小限に止めたり、複数個の電池が並列に配置された状態で収納される場合には、電池を交換する際に新旧の電池や銘柄の異なる電池を混在させる可能性や、逆挿の可能性を激減させたりすることができる電池ボックスを提供することを目的としている。
【課題を解決するための手段】
【０００８】
上記目的を達成するための本発明の一態様は、正極端子と負極端子とを備えた電池を、包装材によって包装された電池パックの状態で収納可能な電池ボックスであって、前記電池の収納空間と、前記収納空間内に突出する接点とを備え、前記接点は、前記電池の前記包装材を破断しつつ前記正極端子及び前記負極端子と導通状態で接触する電池ボックスである。
【発明の効果】
【０００９】
本発明によれば、漏液が発生しても機器の汚染を最小限に止めたり、複数個の電池が並列に配置された状態で収納される場合には、電池を交換する際に新旧の電池や銘柄の異なる電池を混在させる可能性や、逆挿の可能性を激減させたりすることができる電池ボックスが提供される。なお、その他の効果については以下の記載で明らかにする。
【図面の簡単な説明】
【００１０】
【図１】本発明の実施例に係る電池ボックスに収納される電池パックを示す図である。
【図２】実施例に係る電池ボックスを示す図である。
【図３】実施例に係る電池ボックスに電池パックを収納する際の状態を示す図である。
【図４】実施例に係る電池ボックスの内部構造を示す図である。
【図５】実施例に係る電池ボックスにおける配線の接続状態を示す図である。
【図６】実施例に係る電池ボックスが備える接点突出機構の変形例を示す図である。
【図７】実施例に係る電池ボックスが備える接点突出機構のその他の変形例を示す図である。
【発明を実施するための形態】
【００１１】
実施例に係る電池ボックスについて、以下の添付図面を参照しつつ説明する。なお、以下の説明に用いた図面において、同一または類似の部分に同一の符号を付して重複する説明を省略することがある。ある図面において符号を付した部分について、不要であれば他の図面ではその部分に符号を付さない場合もある。
＝＝＝電池パック＝＝＝
筒形電池（以下、電池と言うことがある）の販売形態として、シュリンクパックがある。図１にシュリンクパックによって提供されている複数個で一組の電池（以下、電池パック１０と言うことがある）を示した。図１は、四個のＬＲ６型の円筒形アルカリ乾電池１１が熱収縮フィルムからなる包装材１２によって包装されてなる電池パック１０であり、図１（Ａ）、および図１（Ｂ）は、それぞれ、電池パック１０を、電池１１の正極端子１３側、および負極端子１４側から見たときの斜視図である。そして、図１（Ａ）、図１（Ｂ）に示したように、電池パック１０は、円筒軸１００が互いに平行となるように、複数の電池１１が並列に配置された状態で、包装材１２内に密閉されてなる。
【００１２】
ここで、電池の円筒軸１００方向を前後方向とするとともに、正極端子１３が前方に配置されていることとして前後の各方向を規定し、一つの電池パック１０における電池１１の配列方向を左右方向とすると、実施例に係る電池ボックスは、前後方向を揃えて左右方向に並列配置された複数個の電池１１を、電池パック１０の状態で収納しつつ、外部の電気回路に電気的に接続させるための構成を備えている。
＝＝＝実施例＝＝＝
図２に実施例に係る電池ボックス１を示した。ここで、電池ボックス１に収納される電池１１における前方と後方、および左右方向を、電池ボックス１における前方と後方、および左右方向にも適用するとともに、前後方向と左右方向とに直交する方向を上下方向とする。そして、図２（Ａ）は、電池ボックス１を、前方、上下一方から見たときの斜視図であり、図２（Ｂ）は、電池ボックス１を、後方、上下他方から見たときの斜視図である。
【００１３】
実施例に係る電池ボックス１は、図１に示した四個のＬＲ６型アルカリ乾電池１１を含む電池パック１０を収納するものであり、図２（Ａ）、（Ｂ）に示したように、電池１１の収納空間となるケース部２１が形成された矩形箱状の筐体２を備える。ケース部２１は前後左右に壁面（２２、２３）を有するとともに、上下一方の面に開口２４を有する。以下、ケース部２１の上方に開口２４を有していることとして上下の各方向を規定することとすると、ケース部２１は、下方が閉鎖された角筒状の空間であり、電池パック１０は、上方からケース部２１内に収納される。なお、電池ボックス１には、ケース部２１内の電池パック１０が逸脱しないように、開口２４を開閉自在に閉鎖するとともに、筐体２と係合して閉止状態を維持する図示しない蓋が設けられる。もちろん、蓋を設けなくても、可撓性を有する素材で筐体２を構成し、ケース部２１の左右上縁辺を庇状にケース部２１の内方に張り出させることでもケース部２１内の電池１１が開口から逸脱することを抑止することができる。いずれにしても、実施例に係る電池ボックス１は、上記非特許文献１に記載されている従来の電池ボックスと同様に、ケース部２１内の電池パック１０の脱落を抑止するための構成や構造を有していることが望ましい。
【００１４】
実施例に係る電池ボックス１では、筐体２におけるケース部２１の前方および後方に閉鎖空間２５が設けられており、ケース部２１の前壁面２２と後壁面２３とには、常設された接点がなく、接点に対応する位置に、筐体２の閉鎖空間２５内に通じるスリット２６が形成されている。筐体２の閉鎖空間２５内には、接点を、スリット２６を介して格納自在にケース部２１内に突出させる接点突出機構が格納されている。
【００１５】
また、筐体２における閉鎖空間２５（以下、機構格納部２５と言うことがある）の上面２７から、接点突出機構を操作するためのスライドボタン３１が突出している。また、機構格納部２５の上面２７には、ケース部２１に収納される電池１１の極性を示す「＋」および「−」の極性符号２８が記されている。そして、実施例に係る電池ボックス１では、図３（Ａ）、（Ｂ）に示したように、四個一組の電池１１が電池パック１０の状態でケース部２１に収納される。各電池１１は、電池パック１０の状態では、同じ極の電極端子同士（１３または１４）が前後一方向を向いており、電池パック１０をケース部２１に収納する際には、上記の極性符号２８に従って、前後の向きを合わせればよい。
【００１６】
図４に、接点突出機構の構造を示した。図４は、電池ボックス１を前後方向と上下方向とを含む面で切断したときの縦断面図であり、図４（Ａ）は、ケース部２１に電池パック１０の状態で収納された電池１１の電極端子（１３、１４）と接点３２とが導通していないときの電池ボックス１を示しており、図４（Ｂ）は、電池１１の電極端子（１３、１４）と接点３２とが導通状態にあるときの電池ボックス１を示している。
【００１７】
図４（Ａ）、（Ｂ）に示したように、筐体２の機構格納部２５内には、接点３２と、その接点３２をスライドボタン３１に対する操作に従動させる接続部材３３とが格納されている。接点３２は、金属製の刃で構成されており、前後内方向側の先端３４が包装材１２の破断するための刃先（破断部）となっている。そして、接点３２は、ケース部２１内の前後の壁面（２２、２３）に形成されたスリット２６の位置に対応して、図における紙面奥行き方向に四つ並んで配置されている。
【００１８】
図４（Ａ）に示したように、接点３２は、スライドボタン３１を前後外方に移動させた状態では、機構格納部２５内に格納されており、この状態で電池パック１０をケース部２１に収納したならば、図４（Ｂ）に示したように、スライドボタン３１を前後内方にスライドさせる。それによって、接点３２の先端３４側がスリット２６を介してケース部２１内に突出し、刃先である接点３２の先端３４が電池パック１０における熱収縮フィルムからなる包装材１２を破断する。そして、接点３２が各電池１１の電極端子（１３、１４）と接触し、各接点３２に接続されている配線を介して外部回路と電池１１とが導通状態となる。
【００１９】
図５に電池ボックス１における配線４の接続状態を示した。図５（Ａ）は、ケース部２１内の四個の電池１１を直列接続するための接点３２と配線４との接続状態、および接点３２と外部回路４１との接続状態を示す図であり、図５（Ｂ）は、四個の電池１１を並列接続させるための配線４の接続状態を示す図である。
【００２０】
図５（Ａ）に示したように、四個の電池１１を直列接続させる電池ボックス１では、四個の電池１１が、左右一方の端の電池１１ａから左右他方の電池１１ｂに向かって、直列に接続されるように、左右方向で互いに隣接する二個の電池１１の左右一方側の電池１１の正極端子１３に対応する接点３２ａと、その電池１１に対して左右他方側に隣接する電池１１の負極端子１４に対応する接点３２ｂとが、配線４によって接続されている。
【００２１】
また、左右方向に並ぶ四個の電池１１のうち、左右一方の端の電池１１ａの負極端子１４に対応する接点３２ｂと、左右の他方の端の電池１１ｂの正極端子１３に対応する接点３２ａとに接続されている配線４２が電池ボックス１の外方に引き出されている。そして、その外方に引き出された配線４２の端部４３が外部回路４１の配線４４の端部４５に接続されている。なお、左右一方の端の電池１１ａの負極端子１４に対応する接点３２ｂと、左右の他方の端の電池１１ｂの正極端子１３に対応する接点３２ａとに接続されている配線４２はなくてもよい。すなわち、これらの端子（３２ａ、３２ｂ）が、配線部材として、外部回路からの配線４４に直接接続されていてもよい。
【００２２】
また、図５（Ｂ）に示したように、四個の電池１１を並列接続させる電池ボックス１では、四個の電池１１の正極端子１３に対応する接点３２ａ同士、および負極端子１４に対応する接点３２ｂ同士が配線４によって接続されている。また、正極端子１３に対応する接点３２ａ同士を接続させる配線４、および負極端子１４に対応する接点３２ｂ同士を接続させる配線４は、それぞれ、電池ボックス１の外方に引き出される配線４２に接続されている。そして、その外方に引き出された配線４２の端部４３が外部回路４１の配線４４の端部４５に接続されている。なお、外方に引き出される配線４２はなくてもよい。正極端子１３に対応するいずれかの接点３２ａと、負極端子１４に対応するいずれかの接点３２ｂとが、配線部材を兼ねて、外部回路４１からの配線４４に直接接続されていてもよい。
【００２３】
以上の構成を備えた実施例に係る電池ボックス１では、電池１１を電池パック１０の状態で収納できることから、電池１１を交換する際に、誤って、新旧の電池１１を混在させてしまうことがない。また、当然のことながら、電池パック１０内の電池１１は製造年月日や銘柄が同じであるため、保存期間や銘柄が異なる電池１１を混在させてしまうこともない。電池パック１０の状態にある複数の電池１１のそれぞれは、正極端子１３および負極端子１４の方向が前後一方向に揃っていることから、複数の電池１１を直列接続させる場合でも、隣り合う電池１１の前後方向を互い違いにする必要がなく、逆挿の可能性を確実に低減させることができる。
【００２４】
さらに、電池ボックス１に収納されている電池１１が、使用済みの状態で放置されて過放電状態になり、結果的に漏液したとしても、電池１１の内容物が電池パック１０の包装材１２内に留まり、漏液による電池ボックス１や機器の汚染を最小限に止めることができる。
【００２５】
なお、電池パック１０の包装材１２には、熱収縮フィルムの内側に正極端子１３や負極端子１４を保護する厚紙が配置されたものがあるが、実施例に係る電池ボックス１では、このような電池パック１０にも対応できるように、接点３２は、熱収縮フィルムとともに厚紙も破断できる強度を有している。もちろん、接点３２の強度不足が懸念される場合には、電池ボックス１、電池ボックス１を備えた機器、あるいは機器の取扱説明書などに、厚紙を有する電池パック１０を使用しない旨を注意書きとして記載しておくことも考えられる。いずれにしても、実施例に係る電池ボックス１は、接点３２の強度を適宜に設定することで、厚紙の有無に拘わらず電池パック１０の包装材１２を破断することができる。
【００２６】
実施例に係る電池ボックス１では、複数の電池１１同士の電気的な接続状態を自在に設定することができるため、例えば、四個の電池１１のうち二個の電池１１を一組にして直列に接続するとともに、二組の直列接続された電池１１を並列に接続させるなど、外部回路４１の電源に関わる仕様に応じて、接点３２同士の導通状態を変更することができる。
＝＝＝その他の実施例＝＝＝
上記実施例に係る電池ボックス１における接点突出機構３は、スライドボタン３１に対する手動操作によって接点３２を格納可能にケース部２１内に突出させていたが、接点突出機構３は、電池パック１０をケース部２１に収納させる動作に連動して接点３２をケース部２１内に突出させるように構成されていてもよい。図６と図７とに、上記実施例のものとは異なる接点突出機構（１０３、２０３）を備えた電池ボックス（１０１、２０１）の縦断面図を示した。
【００２７】
図６に示した電池ボックス１０１は、ケース部２１を閉鎖する蓋５の開閉動作に連動して接点３２が突出する接点突出機構１０３を備えている。図５（Ａ）は、接点３２が機構格納部２５内に格納された状態を示す図であり、図５（Ｂ）は、接点突出機構１０３の構造を示す図である。そして、図６（Ｃ）は、接点３２がケース部２１内に突出した状態を示す図である。図６（Ａ）に示したように、電池ボックス１０１は、ケース部２１を閉鎖しつつ、筐体２の上面を覆う蓋５を備えている。ここに例示した電池ボックス１０１では、蓋５は、筐体２の前後一端側に取り付けられたヒンジ５１によって開閉するように構成されている。また、蓋５と筐体２とは、図示しない係合構造によって係合し、蓋５が閉止状態で固定されるようになっている。
【００２８】
機構格納部２５の上面２７には、下方に押下可能なボタン１３１が配設されており、蓋５が開いている状態では、そのボタン１３１が機構格納部２５の上面２７から上方に突出している。接点突出機構１０３は、このボタン１３１と、ボタン１３１の押下動作と接点３２をケース部２１内に突出させる動作とを連動させるリンク機構とによって構成されている。
【００２９】
リンク機構は、図６（Ｂ）に示したように、ガイド１３２に案内されて前後方向に移動可能な前後移動部材１３３、ボタン１３１の下方に連続してボタン１３１に対する押下操作を前後移動部材１３３の前後内方向の運動に変換する上下移動部材１３４、および前後方向を螺旋軸として前後移動部材１３３の前後内方側の端面１３６に取り付けられたコイルバネ１３５を含んで構成されている。そして、金属製の刃からなる四個の接点３２が前後移動部材１３３の前後内方向側の端面１３６に取り付けられている。
【００３０】
前後移動部材１３３の前後外方向の端面１３７と上下移動部材１３４の下端面１３８とは互いに対面する斜面で構成されており、これらの端面（１３７、１３８）が接触しつつ相対的に摺動することで、上下移動部材１３４の下方への運動が、前後移動部材１３３の前後内方向への運動に変換される。また、コイルバネ１３５が、前後移動部材１３３の前後内方側の端面１３６と、ケース部２１の前後の壁面（２２、２３）との間に介在している。
【００３１】
そして、図６（Ａ）に示したように、蓋５が開いた状態で、ボタン１３１が押下されていないときは、前後移動部材１３３が、コイルバネ１３５の付勢力により、前後外方向側に移動した状態で保持され、接点３２の先端が機構格納部２５内に格納されるようになっている。また、前後移動部材１３３の前後外方向への運動が、当該前後移動部材１３３と上下移動部材１３４とが接触する上記の端面（１３７、１３８）を介して上下移動部材１３４を上方に移動させる運動に変換される。それによって、ボタン１３１が、上方に押し上げられ、機構格納部２５の上面２７から突出した状態となる。
【００３２】
図６（Ｃ）に示したように、蓋５が閉じられるとボタン１３１が押下され、上下移動部材１３４が下方に移動する。この上下移動部材１３４の下方への運動は、上記の端面（１３７、１３８）によって、前後移動部材１３３を前方に移動させる運動に変換される。それによって、前後移動部材１３３が、コイルバネ１３５を圧縮させながら前後内方向に移動し、接点３２の先端３４側がケース部内に突出する。そして、刃先である接点３２の先端３４が、ケース部２１内に突出した電池パック１０の包装材１２を破断し、接点３２と電池パック１０内の電池１１の電極端子（１３、１４）とが導通状態となる。
【００３３】
図７に示した電池ボックス２０１の接点突出機構２０３は、電池パック１０をケース部２１に収納する動作によって接点３２と電池１１の電極端子（１３、１４）とが導通するように構成されている。図７（Ａ）は、接点３２が機構格納部２５に格納された状態を示す図であり、図７（Ｂ）は、接点３２がケース部２１内に突出した状態を示す図である。
【００３４】
図７（Ａ）に示したように、ケース部２１の底２２０は、二重底で、上方の底２２１と下方の底２２２との間にコイルバネ２２３が介在し、コイルバネ２２３は、上方の底（以下、可動底２２１と言うことがある）が下方に押圧されると下方の底（以下、固定底２２２と言うことがある）との間で圧縮される。また、筐体２には、前方と後方とに加え、下方にも機構格納部２２４が設けられている。固定底２２２には、筐体２の下方の機構格納部２２４に連絡する孔２２５が形成されている。そして、移動底２２１の下面には、上下方向を軸方向として当該孔２２５に対して挿抜される棒状部材２２６が取り付けられている。
【００３５】
接点突出機構２０３は、可動底２２１の上下方向の運動を接点３２の前後方向の運動に変換するためのリンク機構によって構成されている。当該リンク機構は、固定底２２２を介して筐体２下方の機構格納部２２４に挿抜される棒状部材２２６の上下運動を、筐体２の前後の機構格納部２２７に内蔵されている接点３２の前後運動に変化させるための構成を含んでいる。
【００３６】
具体的には、図７（Ａ）に示したように、棒状部材２２６の下端に二つのＬ字状のアーム２２８の一端が回転軸２２９を介して取り付けられており、移動底２２１が下方に押し込まれていない状態では、二つのＬ字状のアーム２２８は、それぞれ、前方または後方に延長しつつ上方に屈曲している。また、先端３４が刃先になっている接点３２の基端側が、Ｌ字状のアーム２２８の他端側と接続部材２３０を介して連結されている。Ｌ字状のアーム２２８において、接続部材２３０に接続されている側を先端側、棒状部材２２６に接続されている側を基端側とすると、接続部材２３０と接点３２、および接続部材２３０とアーム２２８の先端側とは、それぞれ、左右方向に延長する個別の回転軸（２３１、２３２）によって連結されている。また、接続部材２３０は、接点３２を軸支している回転軸２３１の上下位置がガイド２３３によって固定されている。それによって、接点３２が前後方向にのみ移動可能となっている。
【００３７】
そして、図７（Ｂ）に示したように、ケース部２１内に収納された電池パック１０によって移動底２２１を押し下げると、二つのＬ字状のアーム２２８の基端側が互いに近接するように揺動し、ガイド２３３に案内された接続部材２３０を介して接点３２が前後内方向に移動し、ケース部２１内に突出する。なお、図７に示した電池ボックス２０１では、電池パック１０が圧縮状態にあるコイルバネ２２３によって押し上げられないように、蓋５が、図示しない筐体２との係合構造によって閉止状態を維持し、移動底２２１が、電池パック１０によって押し下げられた状態を維持する。蓋５を開ければ、移動底２２１がコイルバネ２２３によって上方に押し上げられ、接点３２が筐体２における前後の機構格納部２２７に格納される。また、電池パック１０の上側がケース部２１の外方に突出し、電池パック１０を容易に取り出せるようになる。
【００３８】
なお、蓋５の開閉動作や電池パック１０の収納動作に連動させて接点３２をケース部２１内に突出させる接点突出機構（１０３、２０３）の具体的な構成や構造については、図６、図７に示した例に限らず、種々のリンク機構によって実現することができる。
【００３９】
上記実施例に係る電池ボックス（１、１０１、２０１）では、接点３２が刃で構成されていたが、針状などであってもよい。接点３２は、電池パック１０の包装材１２を破断、あるいは貫通可能な先端形状を有する導電体で構成されていればよい。
【００４０】
四個の電池１１を含む電池パック１０は、例えば、八個の電池１１が収納された電池パック１０の包装材１２を左右方向に二等分となるように破断して得た二つの四個一組の電池パック１０の一方であってもよい。もちろん、ケース部２１に収納される電池１１の数は、四個に限らない。
【００４１】
実施例に係る電池ボックス（１、１０１、２０１）のケース部２１に、包装材１２によって包装されていない状態の電池１１を収納してもよい。実施例に係る電池ボックス（１、１０１、２０１）は、電池パック１０の状態にない電池１１であっても、電池１１が、正極と負極の電極端子（１３、１４）のそれぞれが前後一方向に向いた状態でケース部２１に収納されるため、逆挿などが発生し難いという効果を奏するものとなる。
【００４２】
実施例に係る電池ボックス（１、１０１、２０１）のケース部２１が、一個の電池１１を収納するように構成されていてもよい。実施例に係る電池ボックス（１、１０１、２０１）のケース部２１に一個の電池１１が収納される場合であっても、その一個の電池１１が電池パック１０の状態であれば、電池ボックス（１、１０１、２０１）は、過放電などによって漏液が発生した場合に、包装材１２の中に電池１１の内容物が留まり、接点３２や機器が汚染され難いという効果を奏するものとなる。
【００４３】
電池ボックス（１、１０３、２０３）のケース部２１は、９Ｖ型００６Ｐなど、筒軸１００方向の一端側に正極端子１３と負極端子１４の双方が配置されている角型乾電池を収納するように構成されていてもよい。そして、スリット２６が、ケース部２１の前後一方の壁面（２２、または２３）に設けられ、接点突出機構（３、１０３、２０３）が、そのスリット２６を介して接点３２をケース部２１内に突出させるように構成されていればよい。
【００４４】
電池ボックス（１、１０１、２０３）の接点突出機構（３、１０３、２０３）を省略することもできる。例えば、接点３２をケース部２１内に突出させておく。また、接点３２の先端３４に前後外方向に力が加わった際には、接点３２が前後外方向に移動するように接点３２をバネなどによって前後内方向に付勢させておく。それによって、ケース部２１内に電池パック１０が収納される際、接点３２の先端３４が、バネの付勢力に抗して前後外方向に押圧され、接点３２が、前後外方向に移動しつつ、先端３４で包装材１２を破断する。そして、電池パック１０がケース部２１内に収納された状態では、バネの付勢力によって接点３２の先端３４が電池１１の電極端子（１３、１４）に押しつけられて、接点３２と電極端子（１３、１４）とが導通状態となる。
【符号の説明】
【００４５】
１，１０１，２０１  電池ボックス、２  筐体、３，１０３，２０３  接点突出機構、
４，４２，４４  配線、５  蓋、１０  電池パック、１１  円筒形電池、１２  包装材、１３  正極端子、１４  負極端子、２１  ケース部、２２，２３  ケース部の壁面、
２５，２２４，２２７  機構格納部、２６  スリット、２８  極性符号、
２４  ケース部の開口、３２  接点、３４  接点の先端、４１  外部回路、
５１  蓋のヒンジ、１００  電池の筒軸
【図１】
2020184483.tif 000003
【図２】
2020184483.tif 000004
【図３】
2020184483.tif 000005
【図４】
2020184483.tif 000006
【図５】
2020184483.tif 000007
【図６】
2020184483.tif 000008
【図７】
2020184483.tif 000009